(57)【特許請求の範囲】
【請求項１】
全体形状が輪状をなし内方へ向けて突出する複数の磁極(2)を有するステータ体(1)と、前記各磁極(2)に第１、第２輪状絶縁カバー(3,4)を介して巻付けられた第１、第２、第３ステータコイル(5,5a〜5c)と、前記各輪状絶縁カバー(3,4)の何れかと一体に形成され前記ステータ体(1)の半径方向に沿って外方へ突出形成されると共に５本の第１〜第５端子ピン(6a〜6e)を有する端子ピン保持部(7)とを備え、自動巻線機により前記磁極(2)に巻回した前記各ステータコイル(5a〜5c)を前記各端子ピン(6a〜6e)に巻付けて接続するようにした回転検出器の巻線方法において、前記各磁極(2)及び前記各端子ピン(6a〜6e)に巻付けた前記各ステータコイル(5a〜5c)は連続した１本で構成され、前記第１端子ピン(6a)から第２端子ピン(6b)に巻付けた前記第１ステータコイル(5a)は、前記第２、第３端子ピン(6b,6c)間でのみ端子用渡り線(30)を形成して巻付けられた後、前記第３、第４端子ピン(6c,6d)間及び第４、第５端子ピン(6c,6d)間で前記第２、第３ステータコイル(5b,5c)を形成し、前記第４端子ピン(6d)には前記第２、第３ステータコイル(5b,5c)の各一端(5bA,5cA)が共通して直接巻付けられ、前記各端子ピン(6a〜6e)のうちの最初の第１端子ピン(6a)に対する前記第１ステータコイル(5a)の巻き始めコイル(10)と最後の第５端子ピン(6f)に対する前記第３ステータコイル(5c)の巻き終りコイル(11)のみを切断する巻線工程からなり、前記巻線工程終了後の次工程において、前記渡り線(30)を切断手段にて切断することを特徴とする回転検出器の巻線方法。
【発明の詳細な説明】
【０００１】
【発明の属する技術分野】
本発明は、回転検出器の巻線方法に関し、特に、巻き始めコイル及び巻き終りコイルのみを巻線工程時に切断することにより、従来の各端子毎にステータコイルを切断する巻線方法に比べて巻線時間の短縮、切断時のストレスの減少、端子ピンの形状限定をなくすための新規な改良に関する。
【０００２】
【従来の技術】
従来、用いられていたこの種の回転検出器の巻線方法としては、図４に示される方法が採用されていた。
すなわち、図４において符号７は複数の第１〜第６端子ピン６ａ、６ｂ、６ｃ、６ｄ、６ｅ、６ｆが設けられた端子ピン保持部であり、各一対の端子ピン６ａと６ｂ、６ｃと６ｄ、６ｅと６ｆ間には各磁極に巻回された三相の第１〜第３ステータコイル５ａ、５ｂ、５ｃの巻き始めコイル１０と巻き終りコイル１１が各々接続されている。
前述の各巻き始めコイル１０と巻き終りコイル１１は、各端子ピン６ａ〜６ｆに対する巻付けが終了した状態で切断部１２から切断していた。
【０００３】
【発明が解決しようとする課題】
従来の回転検出器の巻線方法は、以上のように構成されていたため、次のような課題が存在していた。
すなわち、各相毎のステータコイルを磁極に巻付けるたびに、その巻き始めコイルと巻き終りコイルを切断しなければならず、巻線工程における生産効率向上に大きい障害となっていた。
また、この巻き始めコイルと巻き終りコイルを切断する場合、カッターを用いるのではなく、各端子ピン６ａ〜６ｅを四角柱等の非円柱とし、からげ動作時の引張りによってコイルを端子ピンの周面角部に当接させて切断していたため、引張り時のストレスがステータコイルに付加され、ステータコイルに対する切断等の発生もあった。
また、前述の引張りにより切断する場合には、端子ピンの周面形状を角部が残るように非円柱状とする必要があり、端子ピンの加工コストの上昇となっていた。
【０００４】
本発明は、以上のような課題を解決するためになされたもので、特に、巻き始めコイル及び巻き終りコイルのみを巻線時に切断することにより、従来の各端子毎にステータコイルを切断する巻線方法に比べて巻線時間の短縮、切断時のストレスの減少、端子ピンの形状限定をなくすようにした回転検出器の巻線方法を提供することを目的とする。
【０００５】
【課題を解決するための手段】
本発明による回転検出器の巻線方法は、全体形状が輪状をなし内方へ向けて突出する複数の磁極を有するステータ体と、前記各磁極に第１、第２輪状絶縁カバーを介して巻付けられた第１、第２、第３ステータコイルと、前記各輪状絶縁カバーの何れかと一体に形成され前記ステータ体の半径方向に沿って外方へ突出形成されると共に５本の第１〜第５端子ピンを有する端子ピン保持部とを備え、自動巻線機により前記磁極に巻回した前記各ステータコイルを前記各端子ピンに巻付けて接続するようにした回転検出器の巻線方法において、前記各磁極及び前記各端子ピンに巻付けた前記各ステータコイルは連続した１本で構成され、前記第１端子ピンから第２端子ピンに巻付けた前記第１ステータコイルは、前記第２、第３端子ピン間でのみ端子用渡り線を形成して巻付けられた後、前記第３、第４端子ピン間及び第４、第５端子ピン間で前記第２、第３ステータコイルを形成し、前記第４端子ピンには前記第２、第３ステータコイルの各一端が共通して直接巻付けられ、前記各端子ピンのうちの最初の第１端子ピンに対する前記第１ステータコイルの巻き始めコイルと最後の第５端子ピンに対する前記第３ステータコイルの巻き終りコイルのみを切断する巻線工程からなり、前記巻線工程終了後の次工程において、前記渡り線を切断手段にて切断する方法である。
【０００６】
【発明の実施の形態】
以下、図面と共に本発明による回転検出器の巻線方法の好適な実施の形態について説明する。尚、従来例と同一又は同等部分には同一符号を付して説明する。
図１において符号１で示されるものは所定角度間隔で内方に向けて突出する複数の磁極２を有する輪状のステータ体であり、このステータ体１の両面には、輪状をなすと共に前記各磁極２を覆うように突出した形状を有する第１、第２輪状絶縁カバー３、４が設けられている。
尚、この各輪状絶縁カバー３、４は、別体で成形された構成、又は、射出成形によって一体状に成形された構成の何れの場合も可である。
【０００７】
前記各磁極２には、前記各輪状絶縁カバー３、４を介して第１、第２、第３ステータコイル５ａ、５ｂ、５ｃが巻回して設けられており、この各ステータコイル５ａ、５ｂ、５ｃは前記各輪状絶縁カバー３、４の何れかに一体に形成されステータ体１の半径方向に沿って外方に突出する端子ピン保持部７の第１〜第５端子ピン６ａから６ｅ（５個の端子ピン構成）にからげ（巻付け）て接続される。
また、前記各磁極２に各ステータコイル５ａ、５ｂ、５ｃを巻回する場合、各磁極２間を渡る渡り線５Ａは第２輪状絶縁カバー４に一体形成された渡り線ガイド突起２００の裏側を経て案内されている。
【０００８】
前記各ステータコイル５ａ〜５ｃは、各相毎に巻回されるが、図２のように３個の磁極２に巻回された各ステータコイル５ａ、５ｂ、５ｃは、５本の各端子ピン６ａ〜６ｅに各々からげて接続するが、巻き始めコイル１０から巻き終りコイル１１まで、いわゆる周知の一筆書き巻線方式によって巻かれ１本のステータコイル５が連続して用いられている。
【０００９】
図２の端子ピンが５本の場合、巻き始めコイル１０が最初の第１端子ピン６ａにからげて巻付けられ、磁極２に第１ステータコイル５ａが形成され、第２端子ピン６ｂと第３端子ピン６ｃ間のみに端子用渡り線３０が形成され、第３端子ピン６ｃと第４端子ピン６ｄ間に磁極２に巻回した第２ステータコイル５ｂが形成され、第４端子ピン６ｄと第５端子ピン６ｅ間に第３ステータコイル５ｃが形成され、最後の第５端子ピン６ｅから巻き終りコイル１１が外方へ導出されることにより各磁極２と各端子ピン６ａ〜６ｅへの巻付けが一筆書き巻線によって直列接続で１本のステータコイル５ａ〜５ｃによって連続して形成されている。尚、前記第４端子ピン６ｄには、前記第２、第３ステータコイル５ｂ、５ｃの各一端５ｂＡ及び５ｃＡが共通して直接巻付けられて接続されている。
【００１０】
前述の巻き始めコイル１０から巻き終りコイル１１に到る迄の一連の巻線工程においては自動巻線機のニードル（図示せず）の引張り等によって巻き始めコイル１０を切断し、さらに巻き終りコイル１１を切断している。すなわち、巻線工程においては２ヶ所の切断部１２を形成するのみで巻線工程を終了することができる。
【００１１】
前述の巻線工程終了後の次の次工程において、各端子用渡り線３０を図示しない切断手段によって切断５０を行うことにより、各磁極２に巻回された各ステータコイル５ａ、５ｂ、５ｃは図６の従来構成と同様に各々独立した構成となる。
【００１２】
前述の巻線工程は、実際には、図３で示される拡大斜視図（但し、端子ピンは図２と同じ５本構成）のように、各端子ピン６ａから６ｅに対してステータコイル５ａ〜５ｃの巻付けが行われる。
【００１３】
前述のように５本の端子ピン６ａから６ｅに対してステータコイル５ａ〜５ｃを巻付ける場合、各第１端子ピン６ａと第２端子ピン６ｂ、第３端子ピン６ｃと第４端子ピン６ｄ、第４端子ピン６ｄと第５端子ピン６ｅ間に第１〜第３ステータコイル５ａ、５ｂ、５ｃが形成され、第２端子ピン６ｂと第３端子ピン６ｃ間にのみ端子用渡り線３０が形成されている。
従って、前述の巻線工程終了後、この端子用渡り線３０を次工程において切断５０を行う。
【００１４】
尚、前述の図１及び図３の形態では、端子ピン保持部７にコネクタが直接接続された構成としているが、コネクタを用いずに、各端子ピン６ａ〜６ｅに図示しないリード線を接続するように構成することもできる。
【００１５】
【発明の効果】
本発明による回転検出器の巻線方法は、以上のように構成されているため、次のような効果を得ることができる。
すなわち、従来のように各端子ピンにステータコイルを巻付ける毎に切断をするのではなく、巻線工程においては１ヶ所のみの切断で済むため、巻線時間の大幅短縮を達成できる。
また、  ステータコイルの切断の数が少なくなることにより、切断によるステータコイルのストレスの頻度が減少し、信頼性の向上が得られる。
また、引張りによる切断のために端子ピンの形状が従来限定されていたが、その端子ピンの形状の限定をなくしても巻線が可能となり、端子ピン加工のコストを低減させることができる。
【図面の簡単な説明】
【図１】  本発明による回転検出器の巻線方法を示すステータの構成図である。
【図２】  本発明による５本構成の端子ピンに対する巻線方法を示す構成図である。
【図３】  本発明による５本構成の端子ピンを用いた巻線状態を示すための要部の拡大斜視図である。
【図４】  従来の６本端子ピン構成における巻線方法を示す構成図である。
【符号の説明】
１    ステータ体
２    磁極
３、４    第１、第２輪状絶縁カバー
５ａ〜５ｃ    第１〜第３ステータコイル
５ｂＡ，５ｃＡ 一端
６ａ〜６ｅ 第１〜第５端子ピン
１０    巻き始めコイル
１１ 巻き終りコイル
３０    端子用渡り線
【図１】
0003659640.tif 000002
【図２】
0003659640.tif 000003
【図３】
0003659640.tif 000004
【図４】
0003659640.tif 000005